(57)【要約】【課題】簡単な作業で、商品やＲＦＩＤタグ取付具が破損することなく、ＲＦＩＤタグを商品に適切に取付ける。【解決手段】仮止め用板バネ３と固定用バネ４とを有するＲＦＩＤタグ取付具１を用いて、殻２１の縁を本体部材２の商品挿入部１０に挿入して仮止め用板バネ３により両面側から挟み込むことでＲＦＩＤタグ取付具１を殻２１の縁に仮止めし、次いで、仮止め用板バネ３の挙動を固定用バネ４により規制してＲＦＩＤタグ取付具１を殻２１の縁に固定し、ＲＦＩＤタグ７をアワビに取付ける。【選択図】図１
2007143534.tif 000002
【特許請求の範囲】
【請求項１】
データを記録可能であると共に当該記録されているデータが電磁的に読取られるＲＦＩＤタグを商品に取付ける方法であって、
ＲＦＩＤタグを装着可能な本体部材と仮止め用部材と固定用部材とを備えたＲＦＩＤタグ取付具を用い、前記商品の面形状箇所を前記本体部材の商品挿入部に挿入して前記仮止め用部材により両面側から挟み込むことで前記本体部材を前記商品の面形状箇所に仮止めした後に、前記仮止め用部材の挙動を前記固定用部材により規制して前記本体部材を前記商品の面形状箇所に固定し、ＲＦＩＤタグを商品に取付けることを特徴とするＲＦＩＤタグ取付方法。
【請求項２】
請求項１に記載したＲＦＩＤタグ取付方法において、
前記本体部材を前記商品の面形状箇所に仮止めした後に、前記商品の面形状箇所を前記本体部材の商品挿入部に挿入する方向とは反対方向に前記固定用部材を移動させることで前記仮止め用部材の挙動を前記固定用部材により規制して前記本体部材を前記商品の面形状箇所に固定することを特徴とするＲＦＩＤタグ取付方法。
【請求項３】
データを記録可能であると共に当該記録されているデータが電磁的に読取られるＲＦＩＤタグを装着可能に構成されていると共に商品の面形状箇所を挿入可能な商品挿入部を有する本体部材と、
前記商品の面形状箇所が前記本体部材の商品挿入部に挿入された状態で前記商品の面形状箇所を両面側から挟み込むことで前記本体部材を前記商品の面形状箇所に仮止めする仮止め用部材と、
前記商品の面形状箇所が前記仮止め用部材により両面側から挟み込まれた状態で前記仮止め用部材の挙動を規制して前記本体部材を前記商品の面形状箇所に固定する固定用部材とを備えたことを特徴とするＲＦＩＤタグ取付具。
【請求項４】
請求項３に記載したＲＦＩＤタグ取付具において、
前記仮止め用部材は、前記本体部材の商品挿入部に沿ってＵ字形状に形成されていると共に両先端部の各々が内側方向への付勢力を有する板バネから構成され、前記商品の面形状箇所が前記本体部材の商品挿入部に挿入された状態で当該付勢力が前記仮止め用部材に向かって作用されることで前記商品の面形状箇所を両面側から挟み込むことを特徴とするＲＦＩＤタグ取付具。
【請求項５】
請求項４に記載したＲＦＩＤタグ取付具において、
前記板バネは、その両先端部の各々に互いに異なる方向に尖る複数の爪部を有していることを特徴とするＲＦＩＤタグ取付具。
【請求項６】
請求項３ないし５のいずれかに記載したＲＦＩＤタグ取付具において、
前記固定用部材は、前記商品の面形状箇所を前記本体部材の商品挿入部に挿入する方向とは反対方向に移動されることで前記仮止め用部材の挙動を規制することを特徴とするＲＦＩＤタグ取付具。
【発明の詳細な説明】
【技術分野】
【０００１】
本発明は、データを記録可能であると共に当該記録されているデータが電磁的に読取られるＲＦＩＤタグを商品に取付ける方法及び当該ＲＦＩＤタグを商品に取付ける場合に用いられるＲＦＩＤタグ取付具に関する。
【背景技術】
【０００２】
例えば貝類の資源調査を行うことを目的として、貝の外靭帯に識別片となる金属片をインジェクターを用いて埋設する方法がある（例えば特許文献１参照）。
【特許文献１】特開平１１−１９６７０６号公報
【発明の開示】
【発明が解決しようとする課題】
【０００３】
ところで、近年では、金属片に代わって例えば生産地や生産者などの多量のデータが記録されているＲＦＩＤタグを装着可能なＲＦＩＤタグ取付具を殻に取付けることで、ＲＦＩＤタグを貝に取付ける方法が提案されており、出願人は、ＲＦＩＤタグを貝に取付ける方法として、特願２００４−２２５７７３を出願した。この特願２００４−２２５７７３は、殻に自然的に吸水孔が形成されている特にアワビなどの貝にＲＦＩＤタグを取付ける用途に好適するものであり、係止ベルトを吸水孔に挿入して殻に巻付けた後にベルト固定部に固定させ、ＲＦＩＤタグ取付具を殻に取付けることで、ＲＦＩＤタグを貝に取付けることが可能となるものである。しかしながら、この方法では、作業者は、殻の内側（裏側）を表向きにした状態で係止ベルトを吸水孔に挿入して殻に巻付け、次いで、殻をひっくり返して殻の外側（表側）を表向きにした状態で係止ベルトをベルト固定部に固定させることになるので、作業性に劣るという問題があった。
【０００４】
一方、ＲＦＩＤタグを貝に取付ける別の方法として、図６に示すように、ＲＦＩＤタグ取付具３１を殻３２の縁に取付けることで、ＲＦＩＤタグを貝に取付ける方法が考えられている。この方法では、殻３２をひっくり返す作業が不要となるので、特願２００４−２２５７７３での作業性の問題を解消することができる。しかしながら、この方法では、殻３２の縁をＲＦＩＤタグ取付具３１の商品挿入部３３に押し込ませて爪部３４ａ，３４ｂを殻３２に食い込ませてＲＦＩＤタグ取付具３１を殻３２の縁に取付ける態様であるので、殻３２の厚みや形状の差異により安定した固定力を確保することができないという問題がある。また、殻３２の縁をＲＦＩＤタグ取付具３１の商品挿入部３３に押し込ませる場合に大きな力が作用してしまうと、殻３２やＲＦＩＤタグ取付具３１が破損してしまうという問題もある。
【０００５】
本発明は、上記した事情に鑑みてなされたものであり、その目的は、簡単な作業で、しかも、商品やＲＦＩＤタグ取付具が破損することなく、ＲＦＩＤタグを商品に適切に取付けることができるＲＦＩＤタグ取付方法及びＲＦＩＤタグ取付具を提供することにある。
【課題を解決するための手段】
【０００６】
請求項１に記載したＲＦＩＤタグ取付方法によれば、商品が例えばアワビであれば、殻の縁（商品の面形状箇所）を本体部材の商品挿入部に挿入して仮止め用部材により両面側から挟み込むことでＲＦＩＤタグ取付具を殻の縁に仮止めした後に、仮止め用部材の挙動を固定用部材により規制してＲＦＩＤタグ取付具を殻の縁に固定し、ＲＦＩＤタグをアワビに取付ける。これにより、ＲＦＩＤタグ取付具を仮止め用部材により殻の縁に仮止めし、次いで、仮止め用部材の挙動を固定用部材により規制してＲＦＩＤタグ取付具を殻の縁に固定するという２段階の作業を行うことで、従来のものとは異なって、殻の縁をＲＦＩＤタグ取付具の商品挿入部に押し込ませて爪部を殻に食い込ませることはなく、簡単な作業で、しかも、アワビ（殻）やＲＦＩＤタグ取付具が破損することなく、ＲＦＩＤタグをアワビに適切に取付けることができる。
【０００７】
請求項２に記載したＲＦＩＤタグ取付方法によれば、商品が例えばアワビであれば、殻の縁を仮止め用部材により両面側から挟み込むことでＲＦＩＤタグ取付具を殻の縁に仮止めした後に、殻の縁を本体部材の商品挿入部に挿入する方向とは反対方向に固定用部材を移動させることで仮止め用部材の挙動を固定用部材により規制してＲＦＩＤタグ取付具を殻の縁に固定する。これにより、アワビを持ち替えることなく、ＲＦＩＤタグ取付具を殻の縁に仮止めする作業とＲＦＩＤタグ取付具を殻の縁に固定する作業とを直線的な一連の作業で円滑に行うことができ、作業性を高めることができる。
【０００８】
請求項３に記載したＲＦＩＤタグ取付具によれば、データを記録可能であると共に当該記録されているデータが電磁的に読取られるＲＦＩＤタグを装着可能に構成されていると共に商品の面形状箇所を挿入可能な商品挿入部を有する本体部材と、商品の面形状箇所が本体部材の商品挿入部に挿入された状態で商品の面形状箇所を両面側から挟み込むことで本体部材を商品の面形状箇所に仮止めする仮止め用部材と、商品の面形状箇所が仮止め用部材により両面側から挟み込まれた状態で仮止め用部材の挙動を規制して本体部材を商品の面形状箇所に固定する固定用部材とを備えて構成されている。これにより、上記した請求項１に記載したものと同様にして、商品が例えばアワビであれば、ＲＦＩＤタグ取付具を仮止め用部材により殻の縁に仮止めし、次いで、仮止め用部材の挙動を固定用部材により規制してＲＦＩＤタグ取付具を殻の縁に固定するという２段階の作業を行うことで、殻の縁をＲＦＩＤタグ取付具の商品挿入部に押し込ませて爪部を殻に食い込ませることはなく、簡単な作業で、しかも、アワビ（殻）やＲＦＩＤタグ取付具が破損することなく、ＲＦＩＤタグをアワビに適切に取付けることができる。
【０００９】
請求項４に記載したＲＦＩＤタグ取付具によれば、仮止め用部材は、本体部材の商品挿入部に沿ってＵ字形状に形成されていると共に両先端部の各々が内側方向への付勢力を有する板バネから構成され、商品の面形状箇所が本体部材の商品挿入部に挿入された状態で当該付勢力が作用されることで商品の面形状箇所を両面側から挟み込むように構成されている。これにより、商品が例えばアワビであれば、板バネの付勢力が殻の縁に作用されることで、ＲＦＩＤタグ取付具を殻の縁に仮止めすることができる。
【００１０】
請求項５に記載したＲＦＩＤタグ取付具によれば、板バネは、その両先端部の各々に互いに異なる方向に尖る複数の爪部を有している。これにより、商品が例えばアワビであれば、互いに異なる方向に尖る複数の爪部が殻の縁に食い込むことで、ＲＦＩＤタグ取付具を殻の縁に強固に固定することができる。
【００１１】
請求項６に記載したＲＦＩＤタグ取付具によれば、固定用部材は、商品の面形状箇所を本体部材の商品挿入部に挿入する方向とは反対方向に移動されることで仮止め用部材の挙動を規制するように構成されている。これにより、商品が例えばアワビであれば、上記した請求項２に記載したものと同様にして、アワビを持ち替えることなく、ＲＦＩＤタグ取付具を殻の縁に仮止めする作業とＲＦＩＤタグ取付具を殻の縁に固定する作業とを直線的な一連の作業で円滑に行うことができ、作業性を高めることができる。
【発明を実施するための最良の形態】
【００１２】
以下、本発明の一実施形態として、ＲＦＩＤタグが取付けられる商品としてアワビを適用し、ＲＦＩＤタグ取付具１を殻の縁に取付けることで、ＲＦＩＤタグをアワビに取付ける方法について、図１ないし図５を参照して説明する。図２は、ＲＦＩＤタグ取付具を一部破断した側面図（ａ）、平面図（ｂ）及び背面図（ｃ）を示しており、図５は、ＲＦＩＤタグ取付具の縦断側面図を異なる態様で示している。
【００１３】
ＲＦＩＤタグ取付具１は、本体部材２、仮止め用板バネ３（本発明でいう仮止め用部材）及び固定用バネ４（本発明でいう固定用部材）が組み合されて構成されている。本体部材２は、蓋部材５とバネ収容部材６との２つの部品から構成されている。蓋部材５は、樹脂を材料として成形され、その上面部には円板形状のＲＦＩＤタグ７が凹状のＲＦＩＤタグ収容部８に収容されている。ＲＦＩＤタグ７は、データを記録可能なＩＣチップと当該ＩＣチップに記録されているデータをリーダ（図示せず）に送信するコイルアンテナとを備えて構成されている。また、ＲＦＩＤタグ７の表面には、例えばＩＣチップに記録されているデータの一部（例えば生産地や生産者や漁獲日など）を表す文字や数字が印刷されていても良いし、ＩＣチップに記録されているデータの一部を表す文字や数字が記載されているシールが添付されていても良い。そして、このように構成されてなるＲＦＩＤタグ７は、透明樹脂からなるカバー９で封止されて防水性が確保されている。また、蓋部材５は、ＲＦＩＤタグ取付具１が殻の縁に取付けられた状態で殻の曲面に沿うように全体的に曲面形状に成形されている。
【００１４】
バネ収容部材６は、樹脂を材料として成形され、商品であるアワビの殻２１の縁（本発明でいう商品の面形状箇所）を挿入可能な溝状の商品挿入部１０を蓋部材５と共に形成すると共に、上記した仮止め用板バネ３を収容するための仮止め用板バネ収容部１１を有して構成されている。この場合、商品挿入部１０の開口幅はアワビの殻の厚さよりも僅かに幅広に形成されている。
【００１５】
仮止め用板バネ３は、図３に示すように、その縦断側面が上記した商品挿入部１０に沿うようにＵ字形状をなして成形されていると共に、各々の先端部に内側方向に尖る２本ずつの爪部１２ａ〜１２ｄが形成され、バネ収容部材６の仮止め用板バネ収容部１１に収容されている。この仮止め用板バネ３は、ＲＦＩＤタグ取付具１を殻２１に取付ける前（外部から力が作用していない自然状態）では、互いに対向する一端側の爪部１２ａ，１２ｂと他端側の爪部１２ｃ，１２ｄとの間隔（図２及び図３中「ａ１」参照）が上記した商品挿入部１０の開口幅（図２中「ａ２」参照）よりも僅かに狭くなっている。
【００１６】
この場合、これら互いに対向する一端側の爪部１２ａ，１２ｂと他端側の爪部１２ｃ，１２ｄとの間隔よりも厚い殻２１の縁が商品挿入部１０に挿入されると、仮止め用板バネ３の両先端部に押し広がろうとする力が作用すると共に、その押し広がろうとする力の反作用として復元力（元の形状に戻ろうとする力（本発明でいう付勢力））が作用し、殻２１の縁が仮止め用板バネ３により両面側から挟み込まれる。
【００１７】
固定用バネ４は、図４に示すように、金属棒が所定形状に成形されており、その一方側部分（元々の金属棒の中央部分）は作業者が操作する（触れる）操作部１３とされており、その他方側部分（元々の金属棒の両端部分）は作業者の操作力を仮止め用板バネ３に伝達する操作力伝達部１４ａ、１４ｂとされている。そして、この固定用バネ４は、ＲＦＩＤタグ取付具１を殻２１に取付ける前（外部から力が作用していない自然状態）では、操作力伝達部１４ａ、１４ｂが互いに所定間隔を存してバネ収容部材６内で仮止め用板バネ３に係止すると共に、操作部１３がバネ収容部材６から突出するように配置されている。
【００１８】
この場合、殻２１の縁が本体部材２の商品挿入部１０に挿入されて仮止め用板バネ３の復元力によりＲＦＩＤ取付具１が殻２１の縁に仮止めされている状態で、固定用バネ４の操作部１３に仮止め用板バネ３に向かう方向（図１及び図５中Ａ方向）への押圧力が与えられると、固定用バネ４が全体的に仮止め用板バネ３の形状に沿って押し広げられながら仮止め用板バネ３を覆うように移動する。このとき、固定用バネ４に作用する押し広げられた状態から元の状態に戻ろうとする力（復元力）と仮止め用板バネ３の押し広がろうとする力とでは、前者が後者よりも大きく設計されており、仮止め用板バネ３の挙動（押し広がろうとする動き）が固定用バネ４により規制される。
【００１９】
次に、ＲＦＩＤタグ取付具１を殻２１に取付ける手順について、図１を参照して説明する。最初に、作業者は、殻２１の縁（本発明でいう商品の面形状箇所）をＲＦＩＤタグ取付具１の商品挿入部１０の開口側から商品挿入部１０に押し込ませる。このとき、殻２１の縁の厚さが仮止め用板バネ３の自然状態での互いに対向する一端側の爪部１２ａ，１２ｂと他端側の爪部１２ｃ，１２ｄとの間隔よりも厚ければ、爪部１２ａ〜１２ｄが殻２１の縁により押し広げられることになるので、仮止め用板バネ３における押し広げられた状態から元の状態に戻ろうとする力が殻２１の縁に作用し、殻２１の縁が仮止め用板バネ３により両面側から挟み込まれる。これにより、ＲＦＩＤタグ取付具１を殻２１の縁に仮止めすることができる。
【００２０】
次いで、作業者は、固定用バネ４の操作部１３を仮止め用板バネ３に向かう方向に押し込ませる。このとき、上記したように固定用バネ４に作用する押し広げられた状態から元の状態に戻ろうとする力と仮止め用板バネ３の押し広がろうとする力とでは、前者が後者よりも大きく設計されているので、固定用バネ４が押し込まれて仮止め用板バネ３を覆うように移動された状態では、仮止め用板バネ３の挙動が固定用バネ４により規制される。これにより、ＲＦＩＤタグ取付具１を殻２１の縁に固定することができる。
【００２１】
上記した一連の手順により、作業者は、殻２１の縁をＲＦＩＤタグ取付具１の商品挿入部１０に押し込ませてＲＦＩＤタグ取付具１を殻２１の縁に仮止めし、次いで、固定用バネ４を仮止め用板バネ３に向かう方向に押し込ませてＲＦＩＤタグ取付具１を殻２１の縁に固定するという２段階の作業を行うことで、ＲＦＩＤタグ取付具１を殻２１に取付けることができ、ＲＦＩＤタグ７をアワビに取付けることができる。
【００２２】
以上に説明したように本実施形態によれば、仮止め用板バネ３と固定用バネ４とを有するＲＦＩＤタグ取付具１を用いて、殻２１の縁を本体部材２の商品挿入部１０に挿入して仮止め用板バネ３により両面側から挟み込むことでＲＦＩＤタグ取付具１を殻２１の縁に仮止めし、次いで、仮止め用板バネ３の挙動を固定用バネ４により規制してＲＦＩＤタグ取付具１を殻２１の縁に固定するようにしたので、簡単な作業で、しかも、アワビ（殻２１）やＲＦＩＤタグ取付具１が破損することなく、ＲＦＩＤタグ７をアワビに適切に取付けることができる。
【００２３】
また、殻２１の縁を商品挿入部１０に挿入する方向とは反対方向に固定用バネ４を移動させることで仮止め用板バネ３の挙動を固定用バネ４により規制してＲＦＩＤタグ取付具１を殻２１の縁に固定するようにしたので、アワビを持ち替えることなく、ＲＦＩＤタグ取付具１を殻２１の縁に仮止めする作業とＲＦＩＤタグ取付具１を殻２１の縁に固定する作業とを直線的な一連の作業で円滑に行うことができ、作業性を高めることができる。
【００２４】
本発明は、上記した実施形態にのみ限定されるものではなく、以下のように変形または拡張することができる。
ＲＦＩＤタグをアワビに取付ける方法に適用するものに限らず、ＲＦＩＤタグを別の商品に取付ける方法に適用しても良い。
ＲＦＩＤタグ取付具を殻の縁に取付けることに限らず、ＲＦＩＤタグ取付具を殻の他の部位（例えば吸水孔）に取付けることで、ＲＦＩＤタグをアワビに取付けても良い。
【図面の簡単な説明】
【００２５】
【図１】本発明の一実施形態を示すもので、ＲＦＩＤタグを商品に取付ける手順を概略的に示す図
【図２】ＲＦＩＤタグ取付具の構成を示すもので、一部破断した側面図（ａ）、平面図（ｂ）及び背面図（ｃ）
【図３】仮止め用板バネの外観斜視図
【図４】固定用バネの外観斜視図
【図５】ＲＦＩＤタグ取付具の縦断側面図
【図６】ＲＦＩＤタグを商品に取付ける従来の手順を概略的に示す図
【符号の説明】
【００２６】
図面中、１はＲＦＩＤ取付具、２は本体部材、３は仮止め用板バネ（仮止め用部材）、４は固定用バネ（固定用部材）、７はＲＦＩＤタグである。
【図１】
2007143534.tif 000003
【図２】
2007143534.tif 000004
【図３】
2007143534.tif 000005
【図４】
2007143534.tif 000006
【図５】
2007143534.tif 000007
【図６】
2007143534.tif 000008